(57)【要約】      （修正有）【課題】農業基盤整備工事に使用される開孔柵渠フリュームで組み立て柵渠の様に開口部を大きく広く背面盛土が水路縦断勾配で支柱渠の下流が乱流となり、背面盛土が崩れ無い様に一体化し、水路内面環境製品も提供出来る様な課題とする。【解決手段】両端支柱渠と中支柱渠を両端支柱渠の高さ（厚さ）の１／２程度の高さで設け両側壁板は柵渠板重ね排水目地の如く水平平行に複数個設け排水孔として構成し、両側壁板の板厚さは外圧モーメントに耐得る様に上面を薄く底面に近くを厚くする、また両側壁板の高さは両端支柱渠と中支柱渠の底面までとし設け詰石・現地土を入れた場合両端支柱渠が露出するが中支柱渠をこの詰石・現地土に隠れる様にしてなる開孔柵渠フリューム。それに、側壁の底部の適所に淡水魚貝類の貫通孔を複数個設けた水路内面環境側壁として魚床ボックス設けた水路内面環境開孔柵渠フリューム。【選択図】図１
0003123021.tif 000002
【実用新案登録請求の範囲】
【請求項１】
両端支柱渠１．１．と中支柱渠２．を両端支柱渠の高さ（厚さ）の１／２程度の高さで設け両側壁板３．３．は柵渠板重ね目地４．の如く水平平行に複数個設け排水孔として構成し、両側壁板の板厚さは外圧モーメントに耐得る様に上面を薄く底面に近くを厚くする、また両側壁板の高さは両端支柱渠と中支柱渠の底面までとし設け詰石・現地土５．を入れた場合両端支柱渠が露出するが．中支柱渠をこの詰石・現地土に隠れる様にしてなる開孔柵渠フリュームＡ。
【請求項２】
側壁の底部の適所に淡水魚貝類６．の貫通孔７．を複数個設けた擬木、擬石等の環境側壁板８．８．として魚床ボックス９．設けた水路内面環境開孔柵渠フリュームＢ。
【考案の詳細な説明】
【技術分野】
【０００１】
本考案は、農業基盤整備工事に使用される開孔柵渠フリュームで柵渠の様に開口部を大きく背面盛土が崩れ無い様に排水フリュームの如くに側壁板を底面まで深く一体化した製品に関する。
【０００２】
従来の開孔水路構成には、次の様な方法とプレキャスト製品があった。
【０００３】
【特許文献１】実公告昭４５−２８４５０号（１）  コンクリート基礎ブロック（支柱渠）に土留め側壁を組み立て合体して水路を構築する方法。
【０００４】
【特許文献２】実公告昭４７−４２０８７号（２）  この製品もコンクリート柵渠（支柱渠）に柵板を嵌め込んで水路を構築する方法。
【０００５】
【特許文献３】実公告昭６０−１６６７０号（３）この方法もコンクリート柵渠（支柱渠）に柵板を嵌め込んで水路を構築する方法。
【０００６】
【特許文献４】実公開昭６１−１１６８８４号（４）この方法も柵板に排水孔を設けて嵌め込んで水路を構築する方法。
【０００７】
【特許文献５】実公告昭３９−１１５５７号（５）有る程度の側壁倒れ勾配を有した水路の底を開口部としたプレキャスト製品である。
【０００８】
【特許文献６】実公告昭５６−２１７５号（６）両端部の支柱渠を外圧モーメントに耐得る様にした一体水路の両側壁板に縦溝の排水開口部をもうけて排水路を構築する方法のプレキャスト製品。
【０００９】
【特許文献７】実公告昭５１−２０１４１（７）一体水路に開口部をもうけて縦設連結して排水路を構築する方法のプレキャスト製品。
【００１０】
【特許文献８】特開昭２００３−３２１８２５号（８）有る程度の側壁倒れ勾配を有した水路の底を開口部としたプレキャスト製品である。しかし上記製品とこれらの製品には次の様な課題と欠点があった。〔１〕  （１）のコンクリート基礎ブロックに柵板を嵌め込む方法は、軟弱地盤の施工には製品組み立てに難儀を余儀なくされ、土圧の係る現場では、製品安定状態を維持するためには問題があった。〔２〕  （２）、（３）、（４）もコンクリート柵渠柱に板を嵌め込む方法なので、軟弱地盤の施工には難儀を余儀なくされ、土圧のかかる現場では、製品安定状態を維持するためには問題があし、工事期間中に雨が降っても背面に板が倒れ災害が起こる欠点があった。〔３〕  （５）、（６）、（７）は一体製品であるが、水路勾配が有る場合、両端の支柱渠に水流がぶつかり乱流となり、下流部が掘れて側壁背面盛土が水路に流れ落ちる課題もあった。〔４〕  （７）は、間伐材を利用しているもので、腐食して来るとパネル版として交換出来る環境考慮した製品であるが、一体製品でないので施工手間が大きく、外圧モーメントの大きい施工現場では、パネル版の交換のコストがかる欠点があった。
【００１１】
そこで、この考案者達は、従来のプレキャスト製品の製造と豊富な体験実績から、これらの製品の製造の問題点を熟知して本考案の課題を解決するためにいろいろ試作研究を重ねこの出願の製品を完成した。
【考案の開示】
【考案が解決しようとする課題】
【００１２】
（１）型枠の製造、抜勾配の確保に配慮が必要だか一体両側壁板の高さを支柱渠の底までとする。
（２）支柱渠は両端と中支柱渠の３箇所とし、中支柱渠は両端支柱渠の約１／２の高さ
（厚さ）で圧縮体支柱とする。
（３）両側壁板は製品全体の高さの底部を外圧モーメントに応じ膨らます（厚く）構成とする。
（４）本考案の技術を生かし、環境製品も完成させ淡水魚貝類の棲息も考えた製品も製造する。
製品の型枠は、中継ぎ足しスライドで組み立てとする。
環境製品で小動物、淡水魚貝類製品を製造する時は、内面のみをカセットゴムアタチメントとする。
支柱渠は両端と中支柱渠の３箇所するが、図面上は表さないが抜き勾配付き支柱渠とする。
開口部を大きく見せるため、中支柱渠の高さ（厚さ）を両側壁板の１／２程度とし、中詰石か現地土を入れた場合平面的に見えない様にする。
両側壁板の厚さは外圧モーメントに応じ下に厚くする。中支柱渠が圧縮体支柱渠として構成する。
環境製品の模様は擬石と擬木とするが自然石埋設も考慮し淡水魚貝類の棲息ばかり出なく小動物脱出製品も従来の技術を利用するものとする。
【考案の効果】
【００１３】
１．  柵渠両側壁板が製品全体の高さ（底）部分まで伸びているので、水路縦断勾配が有っても渠の下が乱流し掘れて側壁板の下から背面盛土が流れ落ちる事がなく災害を防止する事が出来る。
２．  中支柱渠が有る為に両サイドの支柱渠が比較的小断面になる。
【００１４】
中支柱渠は小さく成っているため中詰め石や現地土で隠れるので開口部が組み立て柵渠の様に広く大きく見える。
３．  両側壁板が上に薄く下に厚く出来ているので全体質量が軽減できる。
４．  本考案の技術で擬木、水路内面が擬木、擬石等の環境製品の淡水魚貝類の棲息製品も出来、人の心に安らぎも与えられる。
【００１５】
加えて、製品が一体化になっているので作業能率が良い。
【００１６】
この考案製品の実施するための最良の形態と実施例を下記に説明する。
【考案を実施するための最良の形態】
【００１７】
（１）  この考案は一体製品で有る事が望ましく側壁板も支柱渠の底面までとする事が望ましい。
（２）  この考案は従来柵渠製品の様に短く（外圧モーメントの関係）無く製品長さも２ｍもできる様にして施工が容易で迅速に出来る事が望ましい。
（３）この考案は開口部が従来柵渠の様に大きく広くした方が望ましい。
【実施例】
【００１８】
次に、この出願考案を実施例により説明するが、この考案は実施例に限定されるものではない。
【００１９】
図１はこの出願考案の製品が縦設連接施工された状態の斜視図であり、図２は内面環境擬木製品で淡水魚貝類の棲息出来るボックスを取り付けた状態の断面要部概要斜視図であり、図３は内面擬木環境製品の斜視図であり、図４は内面擬石環境製品の斜視図である。
Ａは開孔柵渠フリュームを、Ｂは環境開孔柵渠フリュームを、１は両端支柱渠を、２は中支柱渠を、３は側壁板を、４は排水目地様を、５は詰石・現地土を、６は淡水魚貝類を、７は貫通孔を、８は環境側壁板を、９は淡水魚貝類棲息ボックスを、１０は背面盛土をそれぞれ示す。
【００２０】
本考案は、農業基盤整備工事に使用される開孔柵渠フリュームで柵渠の様に開口部を大きく広く背面盛土が崩れ無い様に排水フリュームの如く一体化した製品にしたものである。
【００２１】
両端支柱渠１．１．と中支柱渠２．を両端支柱渠の高さ（厚さ）の１／２程度の高さで設け両側壁板３．３．は柵渠板重ね排水目地４．の如く水平平行に複数個設け排水孔として構成し、両側壁板の板厚さは外圧モーメントに耐得る様に上面を薄く底面に近くを厚くする、また両側壁板の高さは両端支柱渠と中支柱渠の底面までとし設け詰石・現地土５．を入れた場合両端支柱渠が露出するが．中支柱渠をこの詰石・現地土に隠れる様にしてなる開孔柵渠フリュームＡ。
【００２２】
図２は 側壁の底部の適所に淡水魚貝類６．の貫通孔７．を複数個設けた水路内面環境側壁板８．８．として淡水魚貝類棲息ボックス９．を設けた水路内面環境開孔柵渠フリュームＢ。
【図面の簡単な説明】
【００２３】
【図１】は製品が連接施工された状態の斜視図である。
【図２】は内面環境擬木製品で淡水魚貝類の棲息出来るボックスを取り付けた状態の断面要部概要斜視図である。
【図３】は内面擬木環境製品の斜視図である。
【図４】は内面擬石環境製品の斜視図である。
【符号の説明】
【００２４】
Ａ  開孔柵渠フリューム
Ｂ  水路内面環境開孔柵渠フリューム
１  両端支柱渠
２  中支柱渠
３  側壁板
４  排水目地
５  詰石・現地土
６  淡水魚貝類
７  貫通孔
８  内面環境側壁板
９  淡水魚貝類棲息ボックス
１０  盛土
【図１】
0003123021.tif 000003
【図２】
0003123021.tif 000004
【図３】
0003123021.tif 000005
【図４】
0003123021.tif 000006
【手続補正書】
【提出日】平成18年3月17日(2006.3.17)
【手続補正１】
【補正対象書類名】明細書
【補正対象項目名】全文
【補正方法】変更
【補正の内容】
【考案の詳細な説明】
【技術分野】
【０００１】  本考案は、農業基盤整備工事に使用される開孔柵渠フリュームで柵渠の様に開口部を大きく背面盛土が崩れ無い様に排水フリュームの様に側壁版を底面まで深く一体化した製品に関する。【０００２】  従来の開孔水路構成には、次の様な方法とプレキャスト製品が有った。【０００３】
【特許文献１】実公告昭４５−２８４５０号  （１）コンクリート基礎ブロック（支柱渠）に土留め側壁を組み立て合体して水路を構築する方法。
【０００４】
【特許文献２】実公告昭４７−４２０８７号  （２）この製品もコンクリート柵渠（支柱渠）に柵板を嵌め込んで水路を構築する方法。
【０００５】
【特許文献３】実公告昭６０−１６６７０号  （３）この方法もコンクリート柵渠（支柱渠）に柵板を嵌め込んで水路を構築する方法。
【０００６】
【特許文献４】実公開昭６１−１１６８８４号  （４）この方法も柵板に排水孔を設けて嵌め込んで水路を構築する方法。
【０００７】
【特許文献５】実公告昭３９−１１５５７号  （５）有る程度の側壁倒れ勾配を有した水路の底を開口部としたプレキャスト製品である。
【０００８】
【特許文献６】実公告昭５６−２１７５号  （６）両端部を支柱渠を外圧モーメントに耐得る様にした一体水路の両側壁板に縦溝の排水開口部をもうけて排水路を構築する方法のプレキャスト製品。
【０００９】
【特許文献７】実公告昭５１−２０１４１  （７）一体水路に開口部をもうけて縦設連結して排水路を構築する方法のプレキャスト製品。
【００１０】
【特許文献８】特開昭２００３−３２１８２５号  （８）有る程度の側壁倒れ勾配を有した水路の底を開口部としたプレキャスト製品である。
【００１１】しかし上記製品とこれらの製品には次の様な課題と欠点が有った。【００１２】  〔１〕  （１）のコンクリート基礎ブロックに柵板を嵌め込む方法は、軟弱地盤の施工には難儀を余儀なくされ、土圧の加わる現場では、製品安定状態を維持するためには問題があった。【００１３】  〔２〕  （２）、（３）、（４）もコンクリート柵渠柱に板を嵌め込む方法なので、軟弱地盤の施工には難儀を余儀なくされ、土圧の加わる現場では、製品安定状態を維持するためには問題があったし、工事期間中に雨が降っても背面に板が倒れ災害が起こる欠点もあった。【００１４】  〔３〕  （５）、（６）、（７）は一体製品であるが、水路勾配が有る場合、両端の支柱渠に水流がぶつかり乱流となり、下流部が掘れて側壁背面盛土が水路に流れ落ちる課題もあった。【００１５】  〔４〕  （７）は、間伐材を利用しているもので、腐食して来るとパネル版として交換出来る環境考慮した製品であるが、一体製品でないので施工手間が大きく、外圧モーメントの大きい施工現場では、パネル版の交換にお金がかる欠点が有った。【００１６】  そこで、この考案者達は、従来のプレキャスト製品の製造と豊富な体験実績から、これらの製品の環境を考えて、加えて製造の問題点を熟知して本考案の課題を解決するためにいろいろ試作研究を重ねこの出願の製品を完成した。
【考案の開示】
【考案が解決しようとする課題】
【００１７】  （１）型枠の製造、抜勾配の確保に配慮が必要だか一体両側壁版の高さを支柱渠の底までとする。【００１８】  （２）支柱渠は両端と中支柱渠の３箇所とし、中支柱渠は両端支柱渠の 約１／２の高さ（厚さ）とする（圧縮体として設け現地土や石を埋設した時平面的に見えない）。【００１９】  （３）両側壁版は製品全体の外圧モーメントに応じ膨らます（厚く極端に４５度以上で）構成（仮想背面で土圧を受ける形状）とする。【００２０】  （４）本考案の技術を生かし、外型枠を交換し仮想背面をボックスとした生態系も考慮した淡水魚貝類の棲息も考えた製品も製造出来る様にする。【００２１】製品の型枠は、中継ぎ足しスライドで組み立てとする。環境製品で小動物、淡水魚貝類製品を製造する時は、内面のみをゴムアタチメントとする。【００２２】支柱渠は両端と中支柱渠の３箇所するが、図面上は表さないが抜き勾配付き支柱渠とする。【００２３】開口部を大きく見せるため、中支柱渠の高さ（厚さ）を両側壁版の１／２程度とし、中詰石か現地土を入れた場合平面的に見えない様にする。【００２４】両側壁版の厚さは外圧モーメントに応じ下に厚くする。中支柱渠が圧縮体として構成する。【００２５】環境製品の模様は擬石と擬木とするが自然石埋設も考慮し淡水魚貝類の棲息ばかり出なく小動物脱出製品も従来の技術を利用するものとする。
【考案の効果】
【００２６】１．柵渠両側壁版が製品全体の高さ（底）部分まで伸びているので、水路縦断勾配が有っても渠の下が乱流し掘れて側壁版の下から背面盛土が流れ落ちる事がなく災害を防止する事が出来る。【００２７】２．中支柱渠が有る為に両サイドの支柱渠が比較的小断面になる。中支柱渠は小さく成っているため中詰め石や現地土で隠れるので開口部が組み立て柵渠の様に広く大きく見える。【００２８】３．両側壁板が上に薄く下に厚く出来ているので全体質量が軽減できる。【００２９】４．本考案の技術で環境製品の淡水魚貝類の棲息製品も出来、魚床ボックスは仮想背面版を構成するのでより製品依存を安定させる。【００３０】  加えて、製品が一体化になっているので作業能率が良い。【００３１】  この考案製品の実施するための最良の形態と実施例を下記に説明する。
【考案を実施するための最良の形態】
【００３２】（１）この考案は一体製品で有る事が望ましいく側壁板も支柱渠の底面までとする事が望ましい。【００３３】（２）この考案は従来柵渠製品の様に短く（外圧モーメントの関係）無く製品長さも２ｍも出来る様にし施工が容易で迅速に出来る事が望ましい。【００３４】（３）この考案は開口部が従来柵渠製品より大きく見える事が望ましい。
【実施例】
【００３５】  次に、この出願考案を実施例により説明するが、この考案は実施例に限定されるものではない。【００３６】  図１はこの出願考案（擬木）の単体製品の斜視図であり、図２は環境擬石製品の斜視図であり、図３は擬木製品に魚床ボックス製品を要所要所に施工した状態の概要斜視図であり、１は両端支柱渠を、２は中支柱渠を、３は側壁板を、４は排水目地様を、５は詰石・現地土を、６は淡水魚貝類を、７は貫通孔を、８は環境側壁板を、９は淡水魚貝類棲息ボックスを、１０は背面盛土をそ、１１は下の厚い側壁（下を極端に曲げた）をそ0れぞれ示す。【００３７】  本考案は、農業基盤整備工事に使用される開孔柵渠フリュームで柵渠の様に開口部を大きく背面盛土が崩れ無い様に排水フリュームの様に一体化した製品にしたものである。  両端支柱渠１．１．と中支柱渠２．を両端支柱渠の高さ（厚さ）の  １／２程度の高さで設け両側壁板３．３．は柵渠板重ね排水目地４．の如く水平平行に複数個設け排水孔として構成し、両側壁板の板厚さは外圧モーメントに耐得る様に上面を薄く底面に近くを厚く１１．（極端に厚く曲げ仮想背面版としても外圧モーメントに対応）とする、また両側壁板の高さは両端支柱渠と中支柱渠の底面までとし設け詰石・現地土５．を入れた場合両端支柱渠が露出するが．中支柱渠をこの詰石・現地土に隠れる様にしてなる開孔柵渠フリューム。
【図面の簡単な説明】
【００３８】
【図１】はこの出願考案（擬木）の単体製品の斜視図である。
【図２】は環境擬石製品の斜視図である。
【図３】は擬木製品に魚床ボックス製品を要所要所に施工した状態の概要斜視図である。
【符号の説明】
【００３９】  １  両端支柱渠  ２  中支柱渠  ３  側壁板  ４  排水目地  ５  詰石及び現地土  ６  淡水魚貝類  ７  貫通孔  ８  環境側壁版  ９  淡水魚貝類棲息ボックス  １０  盛土  １１  上部を薄く底部厚い版（極端に折り曲げた版）
【手続補正２】
【補正対象書類名】実用新案登録請求の範囲
【補正対象項目名】全文
【補正方法】変更
【補正の内容】
【実用新案登録請求の範囲】
【請求項１】
両端支柱渠１．１．と中支柱渠２．を両端支柱渠の高さ（厚さ）の１／２程度の高さで設け両側壁版３．３．は柵渠版重ね目地４．の如く水平平行に複数個設け排水孔として構成し、両側壁版は内面環境側壁とし版厚さは外圧モーメントに耐得る様に上面を薄く底面に近くを11の極端に曲げ厚くする、また両側壁版の高さは両端支柱渠と中支柱渠の底面までとし設け詰石・現地土５．を入れた場合両端支柱渠が露出するが．中支柱渠をこの詰石・現地土に隠れる様にしてなる開孔柵渠フリューム。
【手続補正３】
【補正対象書類名】図面
【補正対象項目名】全図
【補正方法】変更
【補正の内容】
【図１】
0003123021.tif 000007
【図２】
0003123021.tif 000008
【図３】
0003123021.tif 000009